(57)【要約】【課題】汚物を確実に処理すると共に節水に寄与することができるトイレの洗浄装置を提供する。【解決手段】第１自動洗浄モード設定時において、動作検出センサにより使用者による放水動作が検出された場合、即ち１人目の使用者が手洗浄（小洗浄）を行った場合には、便器使用時間が１２０秒以上経過していても、自動洗浄（大洗浄）は行われない。そして、次の１回目の洗浄時（即ち、２人目の使用者に起因する洗浄時）においては、手洗浄及び自動洗浄を問わず、常に大用の放水が行われる（Ｓ２０４，Ｓ２１０，Ｓ２１３）。即ち、２人目の１回目の洗浄は１人目の使用者のための洗浄となり、当該１人目の使用者の流し忘れがあった場合に処理することができる。従って、第１自動洗浄モード設定時においては、便器の流し忘れを確実に処理すると共に節水に寄与することができる。【選択図】      図４
2005240378.tif 000002
【特許請求の範囲】
【請求項１】
使用者の存在を自動検出する自動検出手段と、
使用者による放水動作を非接触検出する動作検出手段と、
前記自動検出手段及び動作検出手段による検出結果に基づいて便器に洗浄水を放水する放水手段と、
前記自動検出手段による使用者検出からの経過時間を計測する計時手段と、
前記計時手段により計時された経過時間に基づいて便器の使用状態が大使用及び小使用のいずれであるかを判定する使用状態判定手段とを備え、
前記使用状態判定手段により大使用である旨の判定がなされたときには前記放水手段は大用の放水を行うと共に同じく小使用である旨の判定がなされたときには前記放水手段は小用の放水を行い、前記動作検出手段により使用者による放水動作が検出されたときには前記放水手段は小用の放水を行うようにしたトイレの洗浄装置において、
前記使用状態判定手段により便器の使用状態が大使用である旨の判定がなされたとき、前記放水手段は次回の洗浄時において常に大用の放水を行うようにしたトイレの洗浄装置。
【請求項２】
前記自動検出手段による使用者の存在の検出状態が検出状態から非検出状態になった場合、前記使用状態判定手段により便器の使用状態が大使用である旨の判定がなされたとき、
次の使用者の初回洗浄時において前記放水手段は常に大用の放水を行うようにした請求項１に記載のトイレの洗浄装置。
【請求項３】
前記動作検出手段の検出結果のみに基づいて前記放水手段が便器に洗浄水を放水する手洗浄モードと、
前記自動検出手段の検出結果に基づいて前記放水手段が便器に洗浄水を自動的に放水する自動洗浄モードとを備え、
前記使用状態判定手段により便器の使用状態が大使用である旨の判定がなされたとき、手洗浄モード及び自動洗浄モードのいずれの洗浄モードに設定されている場合であっても、前記放水手段は次回の洗浄時においては常に大用の放水を行うようにした請求項１に記載のトイレの洗浄装置。
【発明の詳細な説明】
【技術分野】
【０００１】
本発明は、トイレの洗浄装置に関するものである。
【背景技術】
【０００２】
自動洗浄のための放水をすべきか否かの判断を、使用者感知センサにより退去検知がされた後において行うようにしたトイレの洗浄装置が知られている。当該洗浄装置においては、大の使用と看倣し得る「便器の使用時間≧設定時間」の場合には、使用者による操作スイッチの操作の有無に関係なく、一律に大用の洗浄用水が放水される。このため、使用後における便器の未洗浄放置の防止が図られる（例えば、特許文献１参照。）。
【特許文献１】特許第３３３１２８８号公報
【発明の開示】
【発明が解決しようとする課題】
【０００３】
ところが、前記従来のトイレの洗浄装置においては、次のような問題があった。即ち、便器の利用時間が設定時間以上となった場合には、使用者による操作スイッチの操作の有無に関係なく、一律に大用の洗浄用水が放水される。このため、小使用であったとしても便器の使用時間が設定時間以上となれば大用の洗浄水（大水量の洗浄水）が便器に供給される。従って、汚物を確実に処理できるものの、便器には洗浄水が無駄に供給されるおそれがあった。
【０００４】
本発明は上記問題点を解決するためになされたものであって、その目的は、汚物を確実に洗浄処理すると共に節水に寄与することができるトイレの洗浄装置を提供することにある。
【課題を解決するための手段】
【０００５】
請求項１に記載の発明は、使用者の存在を自動検出する自動検出手段と、使用者による放水動作を非接触検出する動作検出手段と、前記自動検出手段及び動作検出手段による検出結果に基づいて便器に洗浄水を放水する放水手段と、前記自動検出手段による使用者検出からの経過時間を計測する計時手段と、前記計時手段により計時された経過時間に基づいて便器の使用状態が大使用及び小使用のいずれであるかを判定する使用状態判定手段とを備え、前記使用状態判定手段により大使用である旨の判定がなされたときには前記放水手段は大用の放水を行うと共に同じく小使用である旨の判定がなされたときには前記放水手段は小用の放水を行い、前記動作検出手段により使用者による放水動作が検出されたときには前記放水手段は小用の放水を行うようにしたトイレの洗浄装置において、前記使用状態判定手段により便器の使用状態が大使用である旨の判定がなされたとき、前記放水手段は次回の洗浄時において常に大用の放水を行うようにしたことを要旨とする。
【０００６】
請求項２に記載の発明は、請求項１に記載のトイレの洗浄装置において、前記自動検出手段による使用者の存在の検出状態が検出状態から非検出状態になった場合、前記使用状態判定手段により便器の使用状態が大使用である旨の判定がなされたとき、次の使用者の初回洗浄時において前記放水手段は常に大用の放水を行うようにしたことを要旨とする。
【０００７】
請求項３に記載の発明は、請求項１に記載のトイレの洗浄装置において、前記動作検出手段の検出結果のみに基づいて前記放水手段が便器に洗浄水を放水する手洗浄モードと、前記自動検出手段の検出結果に基づいて前記放水手段が便器に洗浄水を自動的に放水する自動洗浄モードとを備え、前記使用状態判定手段により便器の使用状態が大使用である旨の判定がなされたとき、手洗浄モード及び自動洗浄モードのいずれの洗浄モードに設定されている場合であっても、前記放水手段は、次回の洗浄時においては常に大用の放水を行うようにしたことを要旨とする。
【０００８】
（作用）
請求項１に記載の発明によれば、自動検出手段により使用者の存在が自動検出されたとき又は動作検出手段により使用者による放水動作が非接触検出されたとき、放水手段は便器に洗浄水を放水する。自動検出手段による使用者検出からの経過時間に基づいて、便器の使用状態が大使用及び小使用のいずれであるかが判断される。大使用である旨の判定がなされたときには大用の放水が行われ、同じく小使用である旨の判定がなされたときには小用の放水が行われる。また、前記動作検出手段により使用者による放水動作が検出されたときには前記放水手段は小用の放水を行う。便器の使用状態が大使用である旨の判定がなされたとき、次回の洗浄時において常に大用の放水が行われる。このため、使用者による放水動作の有無に関係なく、一律に大用の放水を行うようにした場合と異なり、節水に寄与することができる。また、確実に汚物等を処理することができる。
【０００９】
請求項２に記載の発明によれば、請求項１に記載の発明の作用に加えて、前記自動検出手段による使用者の存在の検出状態が検出状態から非検出状態になった場合、前記使用状態判定手段により便器の使用状態が大使用である旨の判定がなされたときには次のような放水動作が行われる。即ち、一人目の使用者が大使用の場合、次の使用者（二人目）の初回洗浄時には、前記放水手段により常に大用の放水が行われる。ただし、基本的には動作検出手段により使用者による放水動作が非接触検出された場合には、小用の放水が行われる。一人目の使用者が大使用の場合にのみ二人目の初回洗浄時には大用の放水が行われるので、使用者による放水動作の有無に関係なく、一律に大用の放水を行うようにした場合と異なり、節水に寄与することができる。また、汚物等を確実に処理することができる。
【００１０】
請求項３に記載の発明によれば、請求項１に記載の発明の作用に加えて、手洗浄モードに設定されている場合、前記動作検出手段の検出結果のみに基づいて前記放水手段により洗浄水が便器に放水される。自動洗浄モードに設定されている場合、前記自動検出手段の検出結果に基づいて前記放水手段により洗浄水が便器に自動的に放水される。そして、前記使用状態判定手段により便器の使用状態が大使用である旨の判定がなされたとき、手洗浄モード及び自動洗浄モードのいずれの洗浄モードであっても、次回の洗浄時において前記放水手段により常に大水量の洗浄水が便器に放水される。このため、手洗浄モード及び自動洗浄モードのいずれの洗浄モードに設定されている場合においても、汚物等を確実に処理することができる。
【発明の効果】
【００１１】
本発明によれば、汚物等を確実に洗浄処理すると共に節水に寄与することができる。
【発明を実施するための最良の形態】
【００１２】
以下、本発明をロータンク式のトイレの洗浄装置に具体化した一実施形態を図１〜図５に基づいて説明する。
図１に示すように、ロータンク式トイレの洗浄装置１１は、ロータンク１２、駆動装置１３及び制御装置１４を備えている。
【００１３】
ロータンク１２の側壁には、外部の給水管２１に接続されたボールタップ２２が貫通支持されている。このボールタップ２２には、支持棒２３及び当該支持棒２３の先端に固定された浮球２４を備えている。浮球２４はロータンク１２内の水位に応じて上下動し、これに伴ってボールタップ２２内に内蔵された弁が支持棒２３を介して開閉される。浮球２４が下がればボールタップ２２内の弁が開いてロータンク１２に水が供給され、浮球２４が上がればボールタップ２２内の弁が閉じてロータンク１２への給水が停止される。このようにして、ロータンク１２内の水位は一定に保たれる。
【００１４】
ロータンク１２の底壁には排水管２５が水密状に貫通支持されており、この排水管２５の上部には弁座２５ａが形成されている。この弁座２５ａは弁体２６が水密状に着座可能に構成されている。弁体２６が弁座２５ａから離れると、ロータンク１２内の水（洗浄水）は排水管２５を介して便器Ｂへ供給される。弁体２６が弁座２５ａに着座すると、ロータンク１２内の水は流出不能となり、便器Ｂへの給水が停止される。
＜駆動装置＞
図１に示すように、駆動装置１３は例えばロータンク１２の側面に設けられている。駆動装置１３はモータ４１を備えており、当該モータ４１の出力軸４１ａはロータンク１２の側壁を貫通して当該ロータンク１２の内部に導入されている。出力軸４１ａの内端部には鎖４５を介して前記弁体２６が連結されている。従って、モータ４１の正逆回転駆動により鎖４５が巻き上げられ又は巻き下げられ、これに伴って弁体２６は上昇又は下降する。
＜制御装置＞
図１に示すように、制御装置１４は例えばトイレの室内壁面に設けられており、当該制御装置１４と駆動装置１３は図示しない電線によって接続されている。制御装置１４は使用者検出センサ４２、動作検出センサ４３及び制御回路４４を備えている。
【００１５】
＜使用者検出センサ＞
使用者検出センサ４２（人体感知センサ）は、使用者（図示略）の存在を自動で検知する非接触センサである。使用者検出センサ４２は赤外線発光素子（図示略）及びそれに対をなす受光素子( 図示略) から構成されている。使用者検出センサ４２は、その検出方向が便器Ｂの使用者方向を向くように配置されており、使用者の使用状態を検出可能となっている。便器Ｂの使用者方向とは、便器Ｂの使用中に使用者が位置する方向のことをいう。即ち、便器Ｂの使用時、当該便器Ｂの使用者は使用者検出センサ４２の検知範囲内に位置する。
【００１６】
＜動作検出センサ＞
動作検出センサ４３（手感知センサ）は直接触れることなく反応する非接触センサである。動作検出センサ４３は赤外線発光素子( 図示略) 及びそれに対をなす受光素子( 図示略) から構成されている。動作検出センサ４３の検出方向は便器Ｂの使用者方向の方向を向くように設定され、検知距離は使用者検出センサより短く設定されている。動作検出センサ４３は使用者の放水動作を検出可能となっている。即ち、使用者が自らの意思で放水しようとする際には、動作検出センサ４３の検知範囲内に例えば手を位置させる。
【００１７】
＜制御回路＞
制御回路４４は使用者検出センサ４２及び動作検出センサ４３の検出結果に基づいて、モータ４１を駆動制御する。また、制御回路４４は押しボタンスイッチ等の操作部（図示略）を備えており、この操作部の操作により洗浄装置１１の動作モードを選択的に設定可能とされている。洗浄装置１１の動作モードには手洗浄モード及び自動洗浄モードがある。自動洗浄モードは第１自動洗浄モード及び第２自動洗浄モードにさらに分けられている。また、制御回路４４は例えば発光ダイオード（７セグメントＬＥＤ）からなる動作モード表示部（図示略）を備えている。
【００１８】
＜制御回路の電気的構成＞
次に、制御回路４４の電気的構成について説明する。図２に示すように、制御回路４４はＣＰＵ（中央処理装置）５１、ＲＯＭ（読出し専用メモリ）５２、ＲＡＭ（読出し書込み専用メモリ）５３、カウンタ５４、タイマ５５、駆動回路５６、放水停止時間設定スイッチ５７、及び電池Ｐを備えている。ＣＰＵ５１には使用者検出センサ４２、動作検出センサ４３、ＲＯＭ５２、ＲＡＭ５３、カウンタ５４、タイマ５５、放水停止時間設定スイッチ５７及び電池Ｐがそれぞれ入出力インターフェイスを介して接続されている。また、ＣＰＵ５１には駆動回路５６を介してモータ４１が接続されている。
【００１９】
電池Ｐは使用者検出センサ４２、動作検出センサ４３、制御回路４４の各部及び駆動装置１３各部（モータ４１等）にそれぞれ直流動作電源を供給する。
ＲＯＭ５２にはＣＰＵ５１が実行する各種の制御プログラム及び各種データ等が予め格納されている。各種の制御プログラムには例えば第１自動洗浄プログラム、第２自動洗浄プログラム及び手洗浄プログラム等の自動洗浄プログラムがある。また、各種データには大使用及び小使用の判断基準となる使用状態判定閾値及び放水停止時間等が格納されている。
【００２０】
本実施形態において、使用状態判定閾値は１２０秒に設定されている。即ち、便器Ｂの使用時間が１２０秒未満であれば小使用と判断され、同じく１２０秒以上であれば大使用と判断される。また、放水停止時間は、放水停止時間設定スイッチ５７の操作により任意に設定可能とされている。放水停止時間は、洗浄装置１１の設置先の状況（例えば、ロータンク１２への単位時間当りの給水量、水圧及びロータンク１２の容積）に応じて設定されている。即ち、放水停止時間において洗浄水をロータンク１２内に供給したとき、十分な洗浄が可能となる程度の洗浄水がタンクに溜るように、当該放水停止時間は設定されている。また、放水停止時間は便器Ｂの使用状態、即ち小使用後か大使用後かにより異なる時間に設定されている。例えば大使用後における放水停止時間は小使用後における放水停止時間の半分とされている。本実施形態では、大小の放水停止時間について、３つの組み合わせ（小洗浄：大洗浄＝１０秒：２０秒，２０秒：４０秒，３０秒：４０秒）が予めＲＯＭ５２に格納されており、放水停止時間設定スイッチ５７の操作によりいずれかの組み合わせが任意に選択される。
【００２１】
ＲＡＭ５３はＲＯＭ５２に書き込まれた制御プログラムを展開してＣＰＵ５１が各種の演算処理を実行するためのデータ作業領域である。
駆動回路５６はＣＰＵ５１からの制御信号（大用及び小用の放水制御信号）に基づいてモータ４１を正逆回転駆動させる。
【００２２】
カウンタ５４は手洗浄操作の回数を計数する。即ち、ＣＰＵ５１は動作検出センサ４３から検出信号が入力される毎にカウンタ５４のカウント値をインクリメント（＋１を加算）する。
【００２３】
タイマ５５は、便器Ｂへの洗浄動作の開始と共に始動されて予め設定された放水停止時間をカウントする。また、タイマ５５は使用者の便器使用時間（使用者検出センサ４２により検知されている時間）をカウントする。
【００２４】
駆動回路５６はＣＰＵ５１からの制御信号（大用及び小用の放水制御信号）に基づいてモータ４１を正逆回転駆動する。
ＣＰＵ５１は使用者検出センサ４２及び動作検出センサ４３からの検出信号に基づいて制御信号（大用及び小用の放水制御信号）を駆動回路５６へ出力する。また、ＣＰＵ５１はタイマ５５によりカウントされた便器使用時間に基づいて、使用者の退室時（使用者検出センサ４２が非検知状態になったとき）に大小を判別し、その判別結果に基づいた水量の放水を行う。即ち、大使用及び小使用に応じた水量の洗浄水が便器Ｂに放水されるように、ＣＰＵ５１は駆動回路５６を制御する。
【００２５】
本実施形態において、小使用と判断された場合の洗浄動作を小洗浄（あるいは小用の放水）といい、大使用と判断された場合の洗浄動作を大洗浄（あるいは大用の放水）という。小洗浄時において便器Ｂに放水される洗浄水の水量は、大洗浄時において便器Ｂに放水される洗浄水の水量の半分程度とされている。さらに、動作検出センサ４３からの検出信号が入力されたときには予め設定された一定時間だけ便器Ｂに洗浄水が放水されるように駆動回路５６を制御する。本実施形態では、動作検出センサ４３からの検出信号が入力されたときには小洗浄が行われる。
【００２６】
＜止水方式について＞
ＣＰＵ５１は便器Ｂに所定量の洗浄水が放水されるように、所定のタイミングで止水動作を行う。この洗浄水の止水方式には自然止水方式と強制止水方式とがあり、いずれかの止水方式が本実施形態の洗浄装置１１に採用される。
【００２７】
＜自然止水方式＞
まず、自然止水方式について説明する。自然止水方式はモータ４１の駆動時間を２段階（小洗浄用・大洗浄用）に制御すること、即ち弁体２６の引き上げ量を２段階にすることにより排水管２５の開口時間を変化させて大洗浄時及び小洗浄時におけるそれぞれの洗浄時間（放水量）を調節する方式である。大洗浄時及び小洗浄時において、弁体２６が全開位置又は半開位置に達すると、ＣＰＵ５１はモータ４１に電圧が印加されないように駆動回路５６を制御し、所定時間だけモータ４１の停止状態を保持する。このモータ４１の停止時間（即ち、弁体２６の全開位置及び半開位置における保持時間）は大洗浄及び小洗浄それぞれ毎に設定されている。所定の洗浄時間（小洗浄保持時間又は大洗浄保持時間）が経過すると、ＣＰＵ５１は、モータ４１が逆回転するように駆動回路５６を制御する。この結果、鎖４５を介して弁体２６は下降する。そして、弁体２６が排水管２５の弁座２５ａに着座すると、便器Ｂへの洗浄水の供給が停止する。
【００２８】
＜強制止水方式＞
次に、強制止水方式について説明する。強制止水方式は弁体２６を開弁方向に一定量移動させた状態においてモータ４１を停止し、その停止時間を制御することにより洗浄時間（放水量）を調節する方式である。小洗浄時及び大洗浄時のいずれにおいても弁体２６は全開位置まで引き上げられる。大洗浄時及び小洗浄時において、弁体２６が全開位置に達すると、ＣＰＵ５１はモータ４１に電圧が印加されないように駆動回路５６を制御し、所定時間だけモータ４１の停止状態を保持する。このモータ４１の停止時間（即ち、弁体２６の全開位置における保持時間）は大洗浄及び小洗浄それぞれ毎に設定されている。所定の洗浄時間（小洗浄保持時間又は大洗浄保持時間）が経過すると、ＣＰＵ５１は、モータ４１が逆回転するように駆動回路５６を制御する。この結果、鎖４５を介して弁体２６は下降する。そして、弁体２６が排水管２５の弁座２５ａに着座すると、便器Ｂへの洗浄水の供給が停止する。
【００２９】
小洗浄時及び大洗浄時のいずれにおいても弁体２６は全開位置まで移動されるので、洗浄水の流量（水の勢い）は小洗浄時及び大洗浄時のいずれにおいても同じとなる。そして、弁体２６の全開位置における保持時間を制御することにより便器へ供給する洗浄水の量が調節される。本実施形態では、小洗浄時には弁体２６の全開位置での保持時間が大洗浄時の半分とされているので便器に供給される洗浄水の量は大洗浄時の半分となる。このため、便器へ供給する洗浄水の量を大洗浄時と小洗浄時とで一様とするようにした場合と異なり、洗浄水が節約される。
【００３０】
尚、本実施形態において、ロータンク１２はタンクを構成する。また、給水管２１、ボールタップ２２、支持棒２３及び浮球２４は給水手段を構成する。排水管２５は排水口を構成する。モータ４１は放水手段を構成する。さらに、使用者検出センサ４２は自動検出手段を構成し、動作検出センサ４３は動作検出手段を構成する。鎖４５は連結手段を構成し、ＣＰＵ（中央処理装置）５１は使用状態判定手段及び放水停止手段を構成する。タイマ５５は計時手段を構成する。
【００３１】
＜実施形態の作用＞
次に、前述のように構成したトイレの洗浄装置１１の動作を図３〜図５に示すフローチャートに従って説明する。図３〜図５に示すフローチャートはＲＯＭ５２に格納された自動洗浄プログラムに従って実行される。洗浄装置１１は図示しないモード切替スイッチの操作により第１自動洗浄モード、第２自動洗浄モード及び手洗浄モードのうちのいずれかの動作モードに予め設定されており、その設定された動作モードに応じて動作する。以下、第１自動洗浄モード、第２自動洗浄モード及び手洗浄モードの順に説明する。第１及び第２洗浄モードはそれぞれ使用者検出センサ４２からの検出信号に基づいて洗浄動作が行われる。ただし、第１及び第２洗浄モードにおいては、動作検出センサ４３による放水動作が優先される。手洗浄モードは動作検出センサ４３からの検出信号に基づいてのみ洗浄動作が行われる。尚、本実施形態では、ＣＰＵ５１のステップを「Ｓ」と略記する。
【００３２】
＜第１自動洗浄モード＞
まず、第１自動洗浄モードに設定されているときの洗浄装置１１の動作を図３及び図４に示すフローチャートに従って説明する。このフローチャートはＲＯＭ５２に格納された第１自動洗浄プログラムに従って実行される。また、第１自動洗浄モードに設定されている場合であっても動作検出センサ４３は有効に機能しており、当該動作検出センサ４３により使用者の手洗浄動作が検出されたときには、小洗浄が行われるようになっている。
【００３３】
図３に示すように、ＣＰＵ５１は手洗浄操作の有無を判断する（Ｓ１０１）。即ち、ＣＰＵ５１は動作検出センサ４３からの検出信号の有無を判断する。手洗浄有りと判断した場合（Ｓ１０１でＹＥＳ）、ＣＰＵ５１は小洗浄を行い（Ｓ１０２）、Ｓ１０１へ処理を移行する。
【００３４】
一方、手洗浄無しと判断した場合（Ｓ１０１でＮＯ）、ＣＰＵ５１は使用者（人体検知）の有無を判断する（Ｓ１０３）。即ち、ＣＰＵ５１は使用者検出センサ４２からの検出信号の有無を判断する。Ｓ１０３において使用者（人体検知）無しと判断した場合（Ｓ１０３でＮＯ）、ＣＰＵ５１はＳ１０１へ処理を移行する。また使用者（人体検知）有りと判断した場合（Ｓ１０３でＹＥＳ）、ＣＰＵ５１はタイマ５５を始動させる（Ｓ１０４）。
【００３５】
次に、ＣＰＵ５１は手洗浄操作の有無を判断する（Ｓ１０５）。手洗浄操作無しと判断した場合（Ｓ１０５でＮＯ）、ＣＰＵ５１はＳ１０６へ処理を移行して使用者（人体検知）の有無を判断する。使用者（人体検知）有りと判断した場合（Ｓ１０６でＹＥＳ）、ＣＰＵ５１はＳ１０５へ処理を移行する。使用者（人体検知）無しと判断した場合（Ｓ１０６でＮＯ）、ＣＰＵ５１はＳ１０７へ処理を移行する。
【００３６】
Ｓ１０７において、ＣＰＵ５１はタイマ５５によりカウントされた時間（使用者の便器使用時間）がＲＯＭ５２に格納された使用状態判定閾値（本実施形態では１２０秒）未満かどうかを判断する。
【００３７】
タイマ５５によりカウントされた便器使用時間が１２０秒未満である場合（Ｓ１０７でＹＥＳ）、ＣＰＵ５１は小使用と判断して小洗浄を行う（Ｓ１０８）。このように、使用者検出センサ４２による使用者の検出時間（人体検知）が１２０秒未満であり、且つ手感知による小洗浄（手洗浄操作）が一度も行われなかった場合、ＣＰＵ５１は使用者が立ち去ってから所定の遅延時間経過後（例えば、約２秒後）に自動的に小洗浄を行う。
【００３８】
タイマ５５によりカウントされた便器使用時間が１２０秒未満でない場合（Ｓ１０７でＮＯ）、即ち便器使用時間が１２０秒以上の場合、ＣＰＵ５１は大使用と判断して大洗浄を行う（Ｓ１０９）。このように、使用者検出センサ４２による使用者の検出時間（人体検知）が１２０秒以上であり、且つ手感知による小洗浄（手洗浄操作）が一度も行われなかった場合、ＣＰＵ５１は使用者が立ち去ってから所定の遅延時間経過後（例えば、約２秒後）に自動的に大洗浄を行う。
【００３９】
以上で便器Ｂの洗浄動作が完了となる。
一方、手洗浄操作有りと判断した場合（Ｓ１０５でＹＥＳ）、ＣＰＵ５１は小洗浄を行い（Ｓ１１０）、Ｓ１１１へ処理を移行する。
【００４０】
Ｓ１１１において、ＣＰＵ５１は人体検知の有無を判断する。使用者（人体検知）有りと判断した場合（Ｓ１１１でＹＥＳ）、ＣＰＵ５１はＳ１０５へ処理を移行する。使用者（人体検知）無しと判断した場合（Ｓ１１１でＮＯ）、ＣＰＵ５１はＳ１１２へ処理を移行する。
【００４１】
Ｓ１１２において、ＣＰＵ５１はタイマ５５によりカウントされた時間（使用者の便器使用時間）がＲＯＭ５２に格納された使用状態判定閾値（本実施形態では１２０秒）未満かどうかを判断する。
【００４２】
タイマ５５によりカウントされた便器使用時間が１２０秒未満である場合（Ｓ１１２でＹＥＳ）、ＣＰＵ５１は自動洗浄を行うことなく（Ｓ１１３）、処理を終了する。即ち、便器Ｂの洗浄動作は完了となる。
【００４３】
タイマ５５によりカウントされた便器使用時間が１２０秒未満でない場合（Ｓ１１２でＮＯ）、即ち便器使用時間が１２０秒以上の場合、ＣＰＵ５１は自動洗浄を行うことなく（Ｓ１１４）、Ｓ２０１（図４参照）へ処理を移行する。即ち、使用者検出センサ４２による使用者の検出時間（人体検知）が１２０秒未満で、手感知による小洗浄（手洗浄操作）が行われた場合、自動洗浄（小洗浄）は行われない（Ｓ１０５→Ｓ１１０→Ｓ１１１→Ｓ１１２）。このため、小洗浄が重複して行われることがなく、節水に寄与する。
【００４４】
図４に示すように、Ｓ２０１において、ＣＰＵ５１は手洗浄操作の有無を判断する。手洗浄無しと判断した場合（Ｓ２０１でＮＯ）、ＣＰＵ５１はＳ２０２へ処理を移行する。手洗浄有りと判断した場合（Ｓ２０１でＹＥＳ）、ＣＰＵ５１は手洗浄操作が１回目かどうか、即ちカウンタ５４のカウント値が１であるかどうかを判断する（Ｓ２０３）。手洗浄操作が１回目であると判断した場合（Ｓ２０３でＹＥＳ）、ＣＰＵ５１は大洗浄を行い（Ｓ２０４）、Ｓ２０１へ処理を移行する。手洗浄操作が１回目でないと判断した場合（Ｓ２０３でＮＯ）、ＣＰＵ５１は小洗浄を行い（Ｓ２０５）、Ｓ２０１へ処理を移行する。
【００４５】
Ｓ２０２において、ＣＰＵ５１は使用者（人体検知）の有無を判断する。使用者（人体検知）無しと判断した場合（Ｓ２０２でＮＯ）、ＣＰＵ５１はＳ２０１へ処理を移行する。使用者（人体検知）有りと判断した場合（Ｓ２０２でＹＥＳ）、ＣＰＵ５１はタイマ５５を始動させる（Ｓ２０６）。
【００４６】
次に、ＣＰＵ５１は手洗浄操作の有無を判断する（Ｓ２０７）。手洗浄操作無しと判断した場合（Ｓ２０７でＮＯ）、ＣＰＵ５１はＳ２０８へ処理を移行して人体検知の有無を判断する。使用者（人体検知）有りと判断した場合（Ｓ２０８でＹＥＳ）、ＣＰＵ５１はＳ２０７へ処理を移行する。使用者（人体検知）無しと判断した場合（Ｓ２０８でＮＯ）、ＣＰＵ５１はＳ２０９へ処理を移行する。
【００４７】
Ｓ２０９において、ＣＰＵ５１はタイマ５５によりカウントされた時間、即ち使用者の便器使用時間がＲＯＭ５２に格納された使用状態判定閾値（本実施形態では１２０秒）未満かどうかを判断する。
【００４８】
使用者の便器使用時間が１２０秒未満である場合（Ｓ２０９でＹＥＳ）、ＣＰＵ５１は大洗浄を行う（Ｓ２１０）。使用者の便器使用時間が１２０秒未満であることから当該Ｓ２１０においては、本来小洗浄を行う場面である。しかし、１人目の使用者の手洗浄後における１回目の洗浄であることから大洗浄を行うようにされている。これにより、１人目の使用者による便器Ｂの流し忘れがあった場合、汚物等は確実に処理される。
【００４９】
使用者の便器使用時間が１２０秒未満でない場合（Ｓ２０９でＮＯ）、即ちタイマ５５によりカウントされた時間が１２０秒以上の場合、ＣＰＵ５１は大洗浄を行う（Ｓ２１１）。
【００５０】
以上で便器Ｂの洗浄動作が完了となる。
一方、手洗浄操作有りと判断した場合（Ｓ２０７でＹＥＳ）、ＣＰＵ５１はＳ２１２へ処理を移行する。Ｓ２１２において、ＣＰＵ５１は手洗浄操作が１回目かどうか、即ちカウンタ５４のカウント値が１であるかどうかを判断する（Ｓ２１２）。手洗浄操作が１回目であると判断した場合（Ｓ２１２でＹＥＳ）、ＣＰＵ５１は大洗浄を行い（Ｓ２１３）、Ｓ２１４へ処理を移行する。手洗浄操作が１回目でないと判断した場合（Ｓ２１２でＮＯ）、ＣＰＵ５１は小洗浄を行い（Ｓ２１５）、Ｓ２１４へ処理を移行する。
【００５１】
Ｓ２１４において、ＣＰＵ５１は使用者（人体検知）の有無を判断する。使用者（人体検知）有りと判断した場合（Ｓ２１４でＹＥＳ）、ＣＰＵ５１はＳ２０７へ処理を移行する。使用者（人体検知）無しと判断した場合（Ｓ２１４でＮＯ）、ＣＰＵ５１はＳ２１６へ処理を移行する。
【００５２】
Ｓ２１６において、ＣＰＵ５１はタイマ５５によりカウントされた時間（使用者の便器使用時間）がＲＯＭ５２に格納された使用状態判定閾値（本実施形態では１２０秒）未満かどうかを判断する。
【００５３】
タイマ５５によりカウントされた便器使用時間が１２０秒未満である場合（Ｓ２１６でＹＥＳ）、ＣＰＵ５１は自動洗浄を行うことなく（Ｓ２１７）、処理を終了する。即ち、便器Ｂの洗浄動作は完了となる。
【００５４】
タイマ５５によりカウントされた便器使用時間が１２０秒未満でない場合（Ｓ２１６でＮＯ）、即ち便器使用時間が１２０秒以上の場合、ＣＰＵ５１は自動洗浄を行うことなく（Ｓ２１８）、Ｓ２０１（図４参照）へ処理を移行する。即ち、使用者検出センサ４２による使用者の検出時間（人体検知）が１２０秒未満で、手感知による小洗浄（手洗浄操作）が行われた場合、自動洗浄（小洗浄）は行われない（Ｓ１０５→Ｓ１１０→Ｓ１１１→Ｓ１１２）。このため、小洗浄が重複して行われることがなく、節水に寄与する。
【００５５】
このように、第１自動洗浄モードにおいては、１人目の使用者が立ち去った後（Ｓ１１０でＮＯ）、次の使用者の１回目の洗浄は人体の有無（使用者検出センサ４２による使用者検出の有無）、タイマ５５による使用者検出時間、手洗浄及び自動洗浄にかかわらず、ＣＰＵ５１は大洗浄を行う（２人目条件）。このため、１人目の流し忘れがあった場合、汚物等は確実に処理される。
【００５６】
また、第１自動洗浄モードにおいては、便器Ｂの利用時間が１２０秒以上となった場合であっても、使用者による手洗浄操作があったときには小洗浄が行われる。このため、便器Ｂの利用時間が１２０秒以上となった場合、使用者による手洗浄操作の有無に関係なく、一律に大用の洗浄用水を放水するようにしたときと異なり、便器Ｂに洗浄水が無駄に放水されることがない。例えば、小使用であったとしても便器Ｂの使用時間が１２０秒以上となった場合であっても大用の洗浄水が便器Ｂに放水されることはない。
【００５７】
＜第２自動洗浄モード＞
次に、第２自動洗浄モードに設定されているときの洗浄装置１１の動作を図５に示すフローチャートに従って説明する。このフローチャートはＲＯＭ５２に格納された第２自動洗浄プログラムに従って実行される。第２自動洗浄モードに設定されている場合であっても動作検出センサ４３は有効に機能しており、当該動作検出センサ４３により使用者の手洗浄動作が検出されたときには、小洗浄が行われるようになっている。
【００５８】
さて、図５に示すように、ＣＰＵ５１は手洗浄操作の有無を判断する（Ｓ３０１）。手洗浄操作有りと判断した場合、ＣＰＵ５１は小洗浄を行い（Ｓ３０２）、Ｓ３０１へ処理を移行する。手洗浄無しと判断した場合、ＣＰＵ５１はＳ３０３へ処理を移行する。
【００５９】
Ｓ３０３において、ＣＰＵ５１は人体検知の有無を判断する。使用者（人体検知）無しと判断した場合（Ｓ３０３でＮＯ）、ＣＰＵ５１はＳ３０１へ処理を移行する。使用者（人体検知）有りと判断した場合（Ｓ３０３でＹＥＳ）、ＣＰＵ５１はタイマ５５を始動し（３０４）、Ｓ３０５へ処理を移行する。
【００６０】
Ｓ３０５において、ＣＰＵ５１は手洗浄操作の有無を判断する。手洗浄操作有りと判断した場合（Ｓ３０５でＹＥＳ）、ＣＰＵ５１は小洗浄を行い（Ｓ３０６）、Ｓ３０７へ処理を移行する。手洗浄無しと判断した場合（Ｓ３０５でＮＯ）、ＣＰＵ５１はＳ３０７へ処理を移行する。
【００６１】
Ｓ３０７において、ＣＰＵ５１は使用者（人体検知）の有無を判断する。使用者（人体検知）有りと判断した場合（Ｓ３０７でＹＥＳ）、ＣＰＵ５１はＳ３０５へ処理を移行する。使用者（人体検知）無しと判断した場合（Ｓ３０７でＮＯ）、ＣＰＵ５１はＳ３０８へ処理を移行する。
【００６２】
Ｓ３０８において、ＣＰＵ５１は放水停止時間未満かどうかの判断を行う。放水停止時間未満であると判断した場合（Ｓ３０８でＹＥＳ）、ＣＰＵ５１は使用者（人体検知）の有無を判断する（Ｓ３０９）。使用者（人体検知）無しと判断した場合（Ｓ３０９でＮＯ）、ＣＰＵ５１はＳ３０８へ処理を移行する。使用者（人体検知）有りと判断した場合（Ｓ３０９でＹＥＳ）、ＣＰＵ５１はＳ３０４へ処理を移行する。この際、ＣＰＵ５１はタイマ５５をリセットする。
【００６３】
このように、第２自動洗浄モードにおいては、ロータンク１２に洗浄水を溜めている間に、即ち放水停止時間内に使用者検出センサ４２により次の使用者が検出された際（Ｓ３０９でＹＥＳ）には、放水停止時間経過後の自動洗浄が行われない。そして、次の使用者による便器使用時間の計測が開始される。即ち、前回の使用者の使用に対する洗浄は行われることなく、当該洗浄は次の使用者の使用に伴う洗浄により兼用される。このため、いっそうの節水が図られる。
【００６４】
一方、放水停止時間未満でないと判断したとき（Ｓ３０８でＮＯ）、即ち放水停止時間経過したと判断したとき、ＣＰＵ５１はＳ３１０へ処理を移行する。Ｓ３１０において、ＣＰＵ５１はタイマ５５によりカウントされた便器使用時間がＲＯＭ５２に格納された使用状態判定閾値（本実施形態では１２０秒）未満かどうかを判断する。
【００６５】
使用者の便器使用時間が１２０秒未満である場合（Ｓ３１０でＹＥＳ）、ＣＰＵ５１は小洗浄を行い（Ｓ３１１）、処理を終了する。使用者の便器使用時間が１２０秒未満でない場合（Ｓ３１０でＮＯ）、即ち使用者の便器使用時間が１２０秒以上の場合、ＣＰＵ５１は大洗浄を行い（Ｓ３１２）、処理を終了する。このように、第２自動洗浄モードにおいて、放水停止時間内に使用者が退出した場合、ＣＰＵ５１は出力禁止時間内経過後に自動洗浄を行う。これにより、便器Ｂの流し忘れが確実に防止される。
【００６６】
＜手洗浄モード＞
次に、手洗浄モードに設定されているときの洗浄装置１１の動作について説明する。手洗浄モードは自動洗浄を行わない点で第１自動洗浄モードと異なる。従って、手洗浄モードは図３及び図４に示す第１自動洗浄モードのフローチャートのＳ１０７，Ｓ１０８，Ｓ１０９，Ｓ１１３，Ｓ１１４，Ｓ２０９，Ｓ２１０，Ｓ２１１，Ｓ２１７，Ｓ２１８の自動洗浄の判断及び動作を省略した動作となる。ＣＰＵ５１はＲＯＭ５２に予め格納された手洗浄プログラムに従って洗浄装置１１に洗浄動作を実行させる。
【００６７】
手洗浄モードに設定されている場合、使用者が動作検出センサ４３の検知範囲内に例えば手を位置させると、その動作が動作検出センサ４３により検出される。ＣＰＵ５１は動作検出センサ４３からの検出信号に基づいて、予め設定された小水量（一定）の洗浄水が便器Ｂに放水されるように、モータ４１を駆動する。動作検出センサ４３からの検出信号が入力されると同時に、ＣＰＵ５１はタイマ５５を始動する。予め設定された放水停止時間が経過するまで、ＣＰＵ５１は放水動作を禁止する。即ち、動作検出センサ４３により手が検出された後、放水停止時間が経過するまでの間に動作検出センサ４３からの検出信号が入力されてもＣＰＵ５１はモータ４１を駆動させることはない。
【００６８】
また、手洗浄モードに設定されている場合、ＣＰＵ５１は手洗浄操作の有無に関係なく自動洗浄（即ち、使用者検出センサ４２の検出信号に基づく洗浄動作）を行わない。さらに、使用者検出センサ４２による人体検出が１２０秒以上経過し、その後、人体検出がなくなった場合、ＣＰＵ５１は次の１回目の手洗浄は大洗浄を行うようになっている。
【００６９】
＜実施形態の効果＞
従って、本実施形態によれば、以下の効果を得ることができる。
（１）手洗浄モード時及び第１自動洗浄モード時において、便器使用時間が１２０秒経過したとき、即ち、便器Ｂの使用状態が大使用である旨の判定がなされたとき、次回の洗浄時において常に大用の放水が行われるようにした。このため、流し忘れがあった場合は確実に処理することができる。ちなみに、大用の放水時、便器Ｂに放水される洗浄水の流量は、汚物等を便器Ｂに接続された排水管の奥まで搬送可能な程度に設定されている。従って、排泄物を確実に流すことができる。
【００７０】
（２）手洗浄モードに設定されている場合、動作検出センサ４３の検出結果のみに基づいてロータンク１２内の洗浄水が便器Ｂに放水される。自動洗浄モードに設定されている場合、使用者検出センサ４２の検出結果に基づいてロータンク１２内の洗浄水が便器Ｂに自動的に放水される。そして、ＣＰＵ５１により便器Ｂの使用状態が大使用である旨の判定がなされたとき、手洗浄モード及び自動洗浄モードのいずれの洗浄モードであっても、次回の洗浄時においては常に大水量の洗浄水が便器に放水される。このため、手洗浄モード及び自動洗浄モードのいずれの洗浄モードに設定されている場合においても、便器Ｂの汚物等を確実に処理することができる。
【００７１】
（３）第１自動洗浄モード設定時において、動作検出センサ４３により使用者による放水動作が検出された場合、即ち１人目の使用者が手洗浄（小洗浄）を行った場合（Ｓ１０５でＹＥＳ）には、便器使用時間が１２０秒以上経過していても、自動洗浄（大洗浄）は行われない。そして、次の１回目の洗浄時（即ち、２人目の使用者に起因する洗浄時）においては、手洗浄及び自動洗浄を問わず、常に大用の放水が行われる（Ｓ２０４，Ｓ２１３，Ｓ２１０）。即ち、２人目の１回目の洗浄は１人目の使用者のための洗浄となり、当該１人目の使用者の汚物等を排水管の奥まで搬送することができると共に、流し忘れがあった場合にも汚物等を確実に処理することができる。従って、第１自動洗浄モード設定時においては、汚物等を確実に処理すると共に節水に寄与することができる。
【００７２】
換言すれば、第１自動洗浄モードにおいて、１人目の使用者により手洗浄が行われ（Ｓ１０５でＹＥＳ）、且つその１人目の使用者が立ち去った後（Ｓ１１０でＮＯ）、ＣＰＵ５１は次の１回目の洗浄は大洗浄を行うようにした。この場合、人体の有無（使用者検出センサ４２による２人目の使用者検出の有無）、タイマ５５による使用者検出時間、手洗浄及び自動洗浄にかかわらず、ＣＰＵ５１は大洗浄を行う（Ｓ２０４，Ｓ２１３，Ｓ２１０）。このため、１人目の汚物等を確実に処理すると共に節水に寄与することができる。
【００７３】
さらに換言すれば、第１自動洗浄モードにおいて、１人目の使用者が手洗浄（小洗浄）を行った場合、ＣＰＵ５１は大洗浄放水指定を設定する。そして、２人目の使用者による手洗浄、又は便器使用時間が１２０秒以内のときの自動洗浄において、本来は小洗浄を行うところ大洗浄を行うようにした。２人目の使用者の最初の洗浄動作をもって、１人目の使用により設定された大洗浄放水指定は設定解除される。このため、１人目の流し忘れがあった場合にも汚物等を確実に処理することができる。
【００７４】
（４）第１自動洗浄モード設定時において、ＣＰＵ５１により便器Ｂの使用状態が小使用である旨の判定がなされた場合、即ちタイマ５５のカウント値が１２０秒未満の場合、動作検出センサ４３により使用者による放水動作が検出されたときには自動洗浄（小洗浄）が行われない（Ｓ１０５→Ｓ１１０→Ｓ１１１→Ｓ１１２→Ｓ１１３）。また、便器Ｂの使用状態が大使用である旨の判定がなされた場合、即ちタイマ５５のカウント値が１２０秒以上の場合、動作検出センサ４３により使用者による放水動作が検出されたときには自動洗浄（大洗浄）が行われない（Ｓ１０５→Ｓ１１０→Ｓ１１１→Ｓ１１２→Ｓ１１４）。このため、小洗浄及び大洗浄が重複して行われることがなく、節水に寄与することができる。
【００７５】
（５）トイレの洗浄装置１１において、駆動装置１３を構成するモータ４１の出力軸に鎖４５を介して連結されると共にロータンク１２の排水口を閉鎖する弁体２６を備え、モータ４１の駆動により鎖４５を介して弁体２６を開弁方向に移動させることによりロータンク１２の排水口を開放するようにした。そして、便器Ｂへの放水動作の開始と共にロータンク１２内に洗浄水を供給すると共に、当該放水動作開始時から予め設定された放水停止時間経過時までの間において当該放水動作を禁止するようにした。この放水停止時間はロータンク１２に洗浄水が十分に溜るまでの時間として設定されている。このため、放水が介しされてから放水停止時間が経過するまでの間、ロータンク１２には洗浄水が供給される。即ち、ロータンク１２に十分な洗浄水が溜るまでは洗浄水の放水が停止されることにより、放水停止時間経過後の洗浄時において便器Ｂには十分な洗浄水が放水される。従って、次回の洗浄時、ロータンク１２が空の状態で便器Ｂへの放水動作が行われることはなく、確実に便器を洗浄することができる。さらに、放水停止時間を設定したことにより二重洗浄も防止することができる。このため、節水にも寄与する。
【００７６】
（６）第２自動洗浄モード設定時においては、動作検出センサ４３による使用者による放水動作の検出の有無にかかわらず常に自動洗浄が行われる。便器Ｂの使用後に必ず自動洗浄が行われることにより、便器Ｂの流し忘れを防止することができる。また、第２自動洗浄モード設定時においては、使用者が放水停止時間内に退出したかどうかにかかわらず、放水停止時間経過後、洗浄水が便器Ｂに自動で放水される。このため、第２自動洗浄モード設定時においては、使用者が放水動作（洗浄操作）を行わなくても、当該使用者が退出した後、自動的に洗浄が行われる（次の使用者の在否にかかわらない）。従って、便器の洗浄し忘れを防止することができる。
【００７７】
（７）第２自動洗浄モードにおいて、放水停止時間内（即ち、ロータンク１２に洗浄水を供給して溜めている間）に使用者検出センサ４２により使用者が検出された際には、放水停止時間経過後の自動洗浄が行われない（Ｓ３０９でＹＥＳ）。この場合、次の使用者の使用に伴って洗浄が行われる。このため、放水停止時間経過前に次の使用者により便器が使用される場合、即ち便器Ｂが連続して使用される場合には、洗浄は行われない。このため、いっそう節水に寄与することができる。
【００７８】
（８）使用者検出センサ４２による使用者（一人目）の存在の検出状態が検出状態から非検出状態になった場合（Ｓ１１１でＮＯ）、ＣＰＵ５１により便器Ｂの使用状態が大使用である旨の判定がなされたとき（Ｓ１１２でＮＯ）、次のような放水動作を行うようにした。即ち、次の使用者（二人目）の初回洗浄時においては常に大用の放水が行われるようにした（Ｓ２０４，Ｓ２１０，Ｓ２１３）。ただし、基本的には動作検出センサ４３により使用者による放水動作が検出された場合には、小用の放水が行われる。このように、一人目の使用者が大使用の場合にのみ二人目の初回洗浄時には大用の放水が行われることにより、使用者による放水動作の有無に関係なく、一律に大用の放水を行うようにした場合と異なり、節水に寄与することができる。
【００７９】
（別の実施形態）
尚、前記各実施形態は、次のように変更して実施してもよい。
・動作検出手段を例えば手動操作スイッチに変更してもよい。
【００８０】
・本実施形態では、本発明をロータンク式のトイレの洗浄装置１１に具体化したが、フラッシュバルブ式のトイレの洗浄装置に具体化してもよい。図１（ａ）に示すように、便器Ｂには一端が水源に接続された放水管６１の他端が接続されている。放水管６１上には電磁弁６２及びフラッシュバルブ６３がそれぞれ配設されている。自動洗浄モード及び手洗浄モードのいずれの場合も、制御回路４４（ＣＰＵ５１）からの放水制御信号に基づいて電磁弁６２は開閉駆動する。ＣＰＵ５１は電磁弁６２を駆動制御することにより（厳密には、電磁弁６２の励磁時間を制御することにより）便器Ｂへ放水する洗浄水の水量を調節する。この場合、電磁弁６２は放水手段を構成する。
・  本実施形態では、便器Ｂを洋式としたが、和式としてもよい。
【００８１】
（付記）
次に前記実施形態から把握できる技術思想を以下に追記する。
（イ）前記自動洗浄モードは、前記動作検出手段により使用者による放水動作が検出された場合には自動洗浄を行わないようにすると共に、次の１回目の洗浄時において前記放水手段は常に大用の放水を行う第１自動洗浄モードを備えた請求項３に記載のトイレの洗浄装置。
【００８２】
この構成によれば、請求項３に記載の発明の作用に加えて、第１自動洗浄モード設定時において、動作検出手段により使用者による放水動作が検出された場合には自動洗浄は行われない。そして、次の１回目の洗浄時においては常に大用の放水が行われる。即ち、２人目の１回目の洗浄は１人目の使用者のための洗浄となり、当該１人目の使用者の流し残しを処理することができる。従って、第１自動洗浄モード設定時においては、流し残しを確実に処理すると共に節水に寄与することができる。
【００８３】
（ロ）前記第１自動洗浄モード設定時において、前記使用状態判定手段により便器の使用状態が小使用である旨の判定がなされた場合、前記動作検出手段により使用者による放水動作が検出されたときには自動洗浄を行わないようにした前記（イ）項に記載のトイレの洗浄装置。
【００８４】
この構成によれば、請求項３に記載の発明の作用に加えて、前記第１自動洗浄モード設定時において、前記使用状態判定手段により便器の使用状態が小使用である旨の判定がなされた場合、前記動作検出手段により使用者による放水動作が検出されたときには自動洗浄が行われない。このため、洗浄が重複して行われることがなく、節水に寄与することができる。
【００８５】
（ハ）前記放水手段の出力軸に連結手段を介して連結されると共にタンクの排水口を閉鎖する弁体を備え、当該放水手段の駆動により連結手段を介して弁体を開弁方向に移動させることによりタンクの排水口を開放するように構成し、前記放水手段の放水動作開始と共にタンク内に洗浄水を供給する給水手段と、前記放水手段の放水動作開始時から予め設定された放水停止時間経過時までの間において当該放水手段の放水動作を禁止する放水停止手段とを備えた請求項１〜請求項３、前記（イ）項及び（ロ）項のうちいずれか一項に記載のトイレの洗浄装置。
【００８６】
この構成によれば、請求項１〜請求項３、前記（イ）項及び（ロ）項のうちいずれか一項に記載の発明の作用に加えて、駆動装置が駆動されると連結手段を介して弁体が開弁方向へ移動し、タンクの排水口が開放される。この結果、タンク内の洗浄水は排水口を介して便器に放水される。便器への放水動作開始と共にタンク内には洗浄水が供給される。また、放水動作開始時から予め設定された放水停止時間経過時までの間においては放水手段の放水動作が禁止される。この間、タンクには洗浄水が供給される。このため、次回の洗浄時、タンクが空の状態で便器への放水動作が行われることはない。従って、確実に便器を洗浄することができる。
【００８７】
（ニ）前記自動洗浄モードは、前記動作検出手段による使用者による放水動作の検出の有無にかかわらず常に自動洗浄を行う第２自動洗浄モードを備え、
前記第２自動洗浄モードにおいて、放水停止時間内に自動検出手段により使用者が検出された際には、前記放水手段は、放水停止時間経過後の自動洗浄を行うことなく、次の使用者の使用状態に応じて洗浄を行うようにした前記（ハ）項に記載のトイレの洗浄装置。
【００８８】
この構成によれば、前記（ハ）項に記載の発明の作用に加えて、第２自動洗浄モード設定時においては、動作検出手段による使用者による放水動作の検出の有無にかかわらず常に自動洗浄が行われる。便器の使用後に必ず自動洗浄が行われることにより、便器の流し忘れを防止することができる。また、２自動洗浄モードにおいて、放水停止時間内に自動検出手段により使用者が検出された際には、放水停止時間経過後の自動洗浄が行われない。この場合、次の使用者の使用に伴って洗浄が行われる。このため、放水停止時間経過前に次の使用者により便器が使用される場合、即ち便器が連続して使用される場合には、洗浄は行われない。このため、いっそう節水に寄与することができる。
【図面の簡単な説明】
【００８９】
【図１】（ａ）はロータンク式トイレの洗浄装置の概略構成図、（ｂ）はフラッシュバルブ式トイレの洗浄装置の概略構成図。
【図２】駆動装置のブロック構成図。
【図３】第１自動洗浄モードの処理手順を示すフローチャート。
【図４】第１自動洗浄モードの処理手順を示すフローチャート。
【図５】第２自動洗浄モードの処理手順を示すフローチャート。
【符号の説明】
【００９０】
１１…トイレの洗浄装置、１２…ロータンク（タンク）、
２１…給水手段を構成する給水管、２２…給水手段を構成するボールタップ、
２３…給水手段を構成する支持棒、２４…給水手段を構成する浮球、
２５…排水口を構成する排水管、２６…弁体、４１…放水手段を構成するモータ、
４１ａ…出力軸、４２…自動検出手段を構成する使用者検出センサ、
４３…動作検出手段を構成する動作検出センサ、４５…連結手段を構成する鎖、
５１…使用状態判定手段及び放水停止手段を構成するＣＰＵ（中央処理装置）、
５５…計時手段を構成するタイマ、Ｂ…便器。
【図１】
2005240378.tif 000003
【図２】
2005240378.tif 000004
【図３】
2005240378.tif 000005
【図４】
2005240378.tif 000006
【図５】
2005240378.tif 000007